(57)【特許請求の範囲】
【請求項１】
家具の脚体に取り付けられるキャップであって、前記脚体に取り付けられるキャップ本体と、このキャップ本体に取り付けられ床面に接地する接地体とを具備してなり、
前記キャップ本体が前記脚体の下端部に挿入可能な挿入部を備えたものであり、
前記接地体が前記キャップ本体に対して着脱可能なものであるとともに、前記接地体のキャップ本体への取付状態を外方から解除し得る位置に取付状態解除部を設け、
当該取付状態解除部が、前記キャップ本体と前記接地体の間の合わせ目に設けた開口窓であることを特徴とするキャップ。
【請求項２】
キャップ本体と接地体の間に、互いに係り合って前記接地体を取付位置に保持する係り合い手段を設けていることを特徴とする請求項１記載のキャップ。
【請求項３】
係り合い手段が、キャップ本体又は接地体の何れか一方側に設けた凹部と、他方側に設けてなり前記凹部の入口側を部材の変形を利用して通過した後、再び復元して前記一方側の一部に係り合う凸部であることを特徴とする請求項２記載のキャップ。
【請求項４】
取付状態解除部が、前記係り合い手段の係り合いを解除するような力を外方から付与し得る位置にある開口窓であることを特徴とする請求項２又は３記載のキャップ。
【請求項５】
キャップ本体が、前記接地体の側方全周を略覆った状態で該接地体を嵌め入れることが可能な嵌合凹部を具備していることを特徴とする請求項１、２、３又は４記載のキャップ。
【請求項６】
接地体が、床面に接地する床面接地部を具備してなり、この床面接地部を消音効果を有する素材で形成していることを特徴とする請求項１、２、３、４又は５記載のキャップ。
【請求項７】
接地体が、床面に接地する床面接地部を具備してなり、この床面接地部をフェルト素材で形成していることを特徴とする請求項１、２、３、４、５又は６記載のキャップ。
【発明の詳細な説明】
【０００１】
【発明の属する技術分野】
本発明は、家具の脚体に好適に取り付けられるキャップに関するものである。
【０００２】
【従来の技術】
従来から家具の脚体に取り付けて、移動時に床面との間で生じる引きずり音の発生を防止したり、脚体が床面を傷つけることを防止したりするキャップがある。この種のキャップは、通常、樹脂製のものであり、床面に接地する接地面側に、引き摺り音を低減させる効果のある素材や柔らかく床面を傷つけない素材等であるフェルトや樹脂素材で構成した床面接地部を有している。
【０００３】
【発明が解決しようとする課題】
しかしながら、前述したような引き摺り音を低減させる効果のある素材や床面を傷つけない素材は、一般的に柔らかいものが多く、磨耗するのが非常に早いものである。また、強度を確保するために、従来、キャップ本体とフェルト等により形成された床面接地部とを一体に成型する場合が多いが、フェルトの寿命と合成樹脂製のキャップ本体の寿命には大きな差がある。それにもかかわらず、従来は両者が一体に成型されているため、キャップ全体を交換する必要があり、コストが高くつくという不具合があった。また、キャップは、一般的に使用中に簡単に取れないように強固に固定されているので、交換に手間取るものであった。
【０００４】
【課題を解決するための手段】
上記の問題点を解決するために、本発明は、家具の脚体に取り付けられるキャップであって、前記脚体に取り付けられるキャップ本体と、このキャップ本体に取り付けられ床面に接地する接地体とを具備してなり、前記キャップ本体が前記脚体の下端部に挿入可能な挿入部を備えたものであり、前記接地体が前記キャップ本体に対して着脱可能なものであるとともに、前記接地体のキャップ本体への取付状態を外方から解除し得る位置に取付状態解除部を設け、当該取付状態解除部が、前記キャップ本体と前記接地体の間の合わせ目に設けた開口窓であることを特徴とする。
【０００５】
このような構成のものであると、長期間使用してくるうちに磨耗しやすい接地体だけを交換して、磨耗しにくいキャップ本体の方は、そのまま継続して使用し続けることができる。すなわち、交換時には、磨耗しやすい接地体のみを交換すればよく、安価に交換を行うことが可能となる上、例えば使用する場に合わせて接地体の種類を変更したい場合にも、良好に対応することが可能である。さらに、キャップ本体と接地体の取付状態を外方から解除できる位置に取付状態解除部を設けているので、キャップ本体と接地体との取付状態を解除し易く、接地体の交換を簡単に行うことが可能となる。
【０００６】
具体的な実施の形態としては、キャップ本体と接地体の間に、互いに係り合って前記接地体を取付位置に保持する係り合い手段を設けているものが挙げられる。
【０００７】
この場合の好適な実施の形態としては、係り合い手段が、キャップ本体又は接地体の何れか一方側に設けた凹部と、他方側に設けてなり前記凹部の入口側を部材の変形を利用して通過した後、再び復元して前記一方側の一部に係り合う係り合う凸部であるものが挙げられる。
【０００８】
簡単に工具等を利用してキャップ本体と接地体の取付状態を解除し得るようにするには、取付状態解除部が、前記係り合い手段の係り合いを解除するような力を外方から付与し得る位置にある開口窓であることが望ましい。
【０００９】
家具の移動時等に側方からの負荷がかかっても、接地体がキャップ本体から外れることを有効に防止するには、キャップ本体が、前記接地体の側方全周を略覆った状態で該接地体を嵌め入れることが可能な嵌合凹部を具備していることが望ましい。
【００１０】
接地体の具体的な実施の形態としては、接地体が、床面に接地する床面接地部を具備してなり、この床面接地部を消音効果を有する素材で形成しているもの、特にフエルト素材を利用しているもの等が挙げられる。
【００１１】
【発明の実施の形態】
以下、本発明の一実施の形態について図面を参照して説明する。
【００１２】
本実施の形態では、図１に示すようなテーブル１の脚体２にキャップ３を適用した場合について説明する。
【００１３】
テーブル１は、天板４と、この天板４の四隅を支持する４本の脚体２とを具備してなる周知のものである。
【００１４】
脚体２は、金属製の丸パイプ状のもので、下端部２ａに前記キャップ３が取り付けてある。
【００１５】
以下、キャップ３の具体的な構成について詳述する。
【００１６】
キャップ３は、図２〜図６に示すように、前記脚体２の下端部２ａに取り付けられるキャップ本体５と、このキャップ本体５に取り付けられ床面Ｆに接地する接地体６とを具備してなり、この接地体６は前記キャップ本体５に対して別体で着脱可能なものである。そして、キャップ本体５と接地体６の間に、互いに係り合って前記接地体６を取付位置に保持する係り合い手段７を設けてなり、この係り合い手段７の係り合いを外方から解除し得るような力を加え得る位置に取付状態解除部たる開口窓５２１を設けるようにしている。
【００１７】
キャップ本体５は、合成樹脂製のもので、前記脚体２の中空部２１内に挿入される挿入部５１と、この挿入部５１の下端側に一体に設けた大径頭部５２とを具備している。
【００１８】
挿入部５１は、円筒状の挿入部本体５１１と、この挿入部本体５１１の外周面から外方に向けて上下方向４箇所に略等ピッチで突出した輪状リブ５１２とを具備している略ネジ軸状のものである。
【００１９】
大径頭部５２は、前記挿入部５１の横断面径よりも大径な横断面を有する円柱状のものであり、下端部側の対向２箇所にラジアル方向及び下方に開放する前記開口窓５２１を有している。また、この大径頭部５２は、その下面に、前記接地体６の側方全周を略覆った状態で該接地体６を嵌め入れることが可能な嵌合凹部５２２を有している。
【００２０】
接地体６は、前記大径頭部５２の嵌合凹部５２２に嵌合する略円柱状で合成樹脂製の接地体本体６１と、前記接地体本体６１の下面側、すなわち床面Ｆと接地する接地面６１ａ側に突出して設けた床面接地部６２とを具備してなる。なお、前記キャップ本体５の嵌合凹部５２２は、前記接地体本体６１の側方全周を略完全に覆ってしまう深さを有するものである。そして、前記接地体本体６１は、前記大径頭部５２の開口窓５２１と対応する位置である外周面の対向２箇所から当該開口窓５２１と嵌合する突出部６１１を突出している。この突出部６１１の上下寸法は、前記開口窓５２１の上下寸法の約半分程度となっているので、接地体６を前記大径頭部５２の嵌合凹部５２２に嵌合させた時には、前記開口窓５２１の上方側は、開口していることになる。
【００２１】
係り合い手段７は、キャップ本体５側に設けた凹部たる孔部５２３と、接地体６側に設けてなり前記孔部５２３に部材の弾性変形を利用して係り合う凸部６１２とから構成されるものである。前記孔部５２３は、前記大径頭部５２に設けてあり、前記嵌合凹部５２２と前記挿入部本体５１１内にある中空部（図示せず）とを連通するものである。凸部６１２は、前記接地体本体６１の上面から上方へ一体に突出したものである。この凸部６１２は、前記キャップ本体５側の孔部５２３の横断面径よりも大径な横断面を有する切截円錐状の頭部６１２ａと、前記孔部５２３の横断面径と略等しい若しくは若干小さい径の横断面を有する支柱部６１２ｂとを具備している。前記凸部６１２を孔部５２３に圧入すると、前記頭部６１２ａが、一旦、弾性変形して孔部５２３を通過し、通過後、挿入部本体５１１内にある中空部（図示せず）で、再び元の形状に復元して係り合う。また、本実施の形態では、前記床面接地部６２を、例えばフェルト素材等から構成するようにしている。このフェルト素材は、キャスタ等と異なり、力を付与している間だけ床面を滑らせることができる適度な滑り易さを有している上、引き摺り音も生じにくいものである。さらに、柔らかい素材であるため、床面を傷つけずに、移動させることが可能である。
【００２２】
そして、このキャップ３を使用する場合には、先ず、前記キャップ本体５の挿入部５１を部材の弾性変形を利用して前記脚体２の中空部２１内に打ち込んで取り付ける。しかる後、前記接地体６の突出部６１１の位置を開口窓５２１と嵌合する位置に合わせた状態で、前記接地体６の凸部６１２を前記キャップ本体５の孔部５２３に部材の弾性変形を利用て圧入して前記接地体６をキャップ本体５に取り付ける。また逆に、前記接地体６をキャップ本体５から外す場合には、例えばテーブル１を天地逆にした状態で前記開口窓５２１にマイナスドライバー等の工具を挿入し、この工具を利用して前記接地体６を外す方向へキャップ３に力を付与して前記接地体６をキャップ本体５から外すようにする。
【００２３】
このような構成のものであると、長期間使用してくるうちに磨耗しやすい接地体６だけを交換して、磨耗しにくいキャップ本体５の方は、そのまま継続して使用し続けることができる。すなわち、交換時には、磨耗しやすい接地体６のみを交換すればよく、安価に交換を行うことが可能となる上、例えば使用する場に合わせて接地体６の種類を変更したい場合にも、良好に対応することが可能である。さらに、キャップ本体５と接地体６の取付状態を外方から解除できる位置に取付状態解除部である開口窓５２１を設けているので、キャップ本体５と接地体６との取付状態を解除し易く、接地体６の交換を簡単に行うことが可能となる。
【００２４】
キャップ本体５と接地体６の間に、互いに係り合って前記接地体６を取付位置に保持する係り合い手段７を設けてなり、前記開口窓５２１がこの係り合い手段７の係り合いを間接的に解除するものであるので、本実施の形態のように、係り合い手段７の位置を外方からアクセスできないような位置に設け、取り外し時にだけ開口窓５２１を利用して間接的に外部から力を加えて接地体６をキャップ本体５から取り外すようにすれば、使用時に誤って外れることを防止し、取り外し時のみ選択的に力を加えて取り外すことができるものを提供することが可能となる。
【００２５】
係り合い手段７が、キャップ本体５側に設けた孔部５２３と、接地体６側に設けた装着初期に一旦変形した後、所定取付位置で再び復元して係り合う凸部６１２であるので、簡単な構成で、一旦係り合わせると、外部から力を加えない限り外れ難いものを実現することが可能となる。
【００２６】
取付状態解除部が、前記係り合い手段７の係り合いを解除するような力を外方から付与し得る位置にある開口窓５２１であるので、前記開口窓５２１にマイナスドライバー等の工具を差し込んで、係り合い手段７の係り合いが解除される方向へ力を加える事により、簡単にキャップ本体５と接地体６の取付状態を解除することが可能である。
【００２７】
キャップ本体５が、前記接地体６の側方全周を略覆った状態で該接地体６を嵌め入れることが可能な嵌合凹部５２２を具備してなり、接地体６の側方全周を包みこむような形態であるので、テーブル１の移動時等に側方からの負荷がかかっても、接地体６がキャップ本体５から外れることを有効に防止することが可能である。
【００２８】
接地体６が、床面Ｆに接地する床面接地部６２を具備してなり、この床面接地部６２をフェルト素材で形成しているので、キャスタ等と異なり、力を付与している間だけ床面を滑らせることができる適度な滑り易さを家具に付与することが可能となる上、引き摺り音も生じにくいものである。さらに、柔らかい素材であるため、床面を傷つけずに、移動させることが可能である。
【００２９】
なお、本発明における構成は、以上説明したものに限定されないのは勿論である。例えば、前記キャップを取り付ける家具は、前述したようなテーブルに限定されず、椅子や棚等であってもよい。また、本実施の形態では、前記開口窓は、キャップ本体と接地体の間の合わせ目に設けた縦断面略矩形状のものであったが、工具を挿入して取り外すための力を付与しやすいように、縦断面楔状の開口となるようにしてもよい。さらに、凸部の形状も、前述したものに限られず、横断面十字形状のものであってもよいのは勿論である。また、床面接地部の素材は、フェルト素材に限定されず、適度な滑り易さや消音効果のあるものであればどのようなものであってもよく、例えば、フッ素加工樹脂等であってもよい。その他の構成も本発明の趣旨を逸脱しない範囲で種々変形が可能である。
【００３０】
【発明の効果】
本発明は、以上説明したような構成で実施され以下に記載されるような効果を奏する。
【００３１】
すなわち、本発明は、キャップ本体に取り付けられ床面に接地する接地体が前記キャップ本体に対して着脱可能なものであるので、交換時には、磨耗しやすい接地体のみを交換すればよく、安価に交換を行うことが可能となる上、例えば使用する場に合わせて接地体の種類を変更したい場合にも、良好に対応することが可能である。さらに、キャップ本体と接地体の取付状態を外方から解除できる位置に取付状態解除部を設けているので、キャップ本体と接地体との取付状態を解除し易く、接地体の交換を簡単に行うことが可能となる。
【００３２】
キャップ本体と接地体の間に、互いに係り合って前記接地体を取付位置に保持する係り合い手段を設けてなり、前記取付状態解除部がこの係り合い手段の係り合いを間接的に解除するものであるならば、例えば、係り合い手段の位置を外方からアクセスできないような位置に設け、外方から取付状態解除部を利用して間接的に力を加えて接地体をキャップ本体から取り外すようにすれば、使用時に誤って外れることを防止し、取り外し時のみ選択的に力を加えて取り外すことができるものを提供することが可能となる。
【００３３】
係り合い手段が、キャップ本体又は接地体の何れか一方側に設けた凹部と、他方側に設けてなり前記凹部の入口側を部材の変形を利用して通過した後、再び復元して前記一方側の一部に係り合う凸部であるならば、簡単な構成で、一旦係り合わせると、外部から力を加えない限り外れ難いものを実現することが可能となる。
【００３４】
取付状態解除部が、前記係り合い手段の係り合いを解除するような力を外方から付与し得る位置にある開口窓であるならば、前記開口窓にマイナスドライバー等の工具を差し込んで、係り合い手段の係り合いが解除される方向へ力を加える事により、簡単にキャップ本体と接地体の取付状態を解除することが可能である。
【００３５】
キャップ本体が、前記接地体の側方全周を略覆った状態で該接地体を嵌め入れることが可能な嵌合凹部を具備しているならば、接地体の側方全周を包みこむような形態としているので、家具の移動時等に側方からの負荷がかかっても、接地体がキャップ本体から外れることを有効に防止することが可能である。
【００３６】
接地体が、床面に接地する床面接地部を具備してなり、この床面接地部を消音効果を有する素材で形成しているものであるならば、利用者の要望に対応させて引き摺り音低下を図り得る。
【００３７】
さらに、接地体が、床面に接地する床面接地部を具備してなり、この床面接地部をフェルト素材で形成しているものであるならば、キャスタ等と異なり、力を付与している間だけ床面を滑らせることができる適度な滑り易さを家具に付与することが可能となる上、引き摺り音も生じにくいものである。さらに、柔らかい素材であるため、床面を傷つけずに、移動させることが可能である。
【図面の簡単な説明】
【図１】本発明の一実施の形態を示す全体斜視図。
【図２】同要部を拡大した斜視図。
【図３】同キャップの分解斜視図。
【図４】同キャップを使用状態から上下に反転させた状態を示す分解斜視図。
【図５】同底面図。
【図６】同側面図。
【符号の説明】
１…テーブル
２…脚体
３…キャップ
５…キャップ本体
５２１…開口窓
５２２…嵌合凹部
５２３…凹部（孔部）
６…接地体
６１２…凸部
６２…床面接地部
７…係り合い手段
Ｆ…床面
【図１】
0004029923.tif 000002
【図２】
0004029923.tif 000003
【図３】
0004029923.tif 000004
【図４】
0004029923.tif 000005
【図５】
0004029923.tif 000006
【図６】
0004029923.tif 000007